(57)【要約】      （修正有）【課題】見た目に美しく、箸を確実に収納保持し、使用時には簡単に箸を取り出すことができ、使い易い箸入れを提供する。【解決手段】略長方形の長辺側を開口部とする袋状の箸収納部２と、その箸収納部２の袋部の開口端の片側に連接する、箸収納部２と同じ大きさの長方形の連結部４と、この連結部４にさらに連接する略扁平３角形の蓋部６とで折り畳み式の箸入れを構成する。連結部４を箸収納部２の袋部を内側にして箸収納部２の一面に重ね、さらに蓋部６を箸収納部２の他面に重ねるように折り畳んだとき互いに対面する蓋部６の内面と収納部の裏面に、互いに着脱自在に係合し合う面ファスナー３を設ける。【選択図】図５
0003145431.tif 000002
【実用新案登録請求の範囲】
【請求項１】
略長方形の長辺側を開口部とする袋状の箸収納部２と、該箸収納部の袋部の開口端の片側に連接する該箸収納部と同じ大きさの長方形の連結部４と、該連結部にさらに連接する略扁平３角形の蓋部６とを可撓性材料シートで構成してなり、
前記連結部４を前記箸収納部の袋部を内側にして該箸収納部の一面２２に重ね、さらに前記蓋部６を前記箸収納部２の他面２３に重ねるように折り畳んだ状態において互いに対面する前記蓋部の内面６１と前記収納部の前記他面２３に、互いに着脱自在に係合し合う面ファスナー３，５を設けてなることを特徴とする箸入れ。
【請求項２】
前記略扁平３角形の蓋部６が、該３角形の自由端頂点付近に、該蓋部を開く際に摘むのに適するタブ８を備えていることを特徴とする請求項１記載の箸入れ。
【請求項３】
少なくとも前記箸収納部の内面に防水コーティングが施されていることを特徴とする請求項１または２記載の箸入れ。
【請求項４】
前記箸収納部２、連結部４および蓋部６の内面に防水コーティングが施されていることを特徴とする請求項１または２記載の箸入れ。
【考案の詳細な説明】
【技術分野】
【０００１】
本考案は、箸を携帯するための箸入れ、特に柔軟な材料で折り畳み式とした箸入れに関するものである。
【背景技術】
【０００２】
従来の箸入れとしては、例えば二つ折りの硬質プラスチックの細長い箱体ケースに２本の箸全体を入れるようにしたものが一般的である。（特許文献１）
最近は、マイ箸と言って、環境保護のエコ精神から、職場や学校など外で食事する際にも、割箸などを消費しないで、自分の箸を使うようにすることが推奨されており、自分の箸を「マイ箸」として携帯することが見られるようになってきており、箸入れの形態もいろいろなものが現れている。例えば、布を折り畳んで、紐で縛るようにしたお洒落なものも現れている。
【０００３】
しかしながら、特許文献１のものでは、箱体ケースが嵩張り、見た目にも、旧式の感は否めない。また紐で縛るようにしたものでは、紐が外れやすく、外れにくいように固く縛れば開閉が面倒になる。
【特許文献１】特開２００２−２０９７０６号公報
【考案の開示】
【考案が解決しようとする課題】
【０００４】
マイ箸を携帯することが普及すると、お洒落の精神から見た目に綺麗で、かつ使い易いものが要望される。そこで、本考案は、単なる箱体の構造でなく、見た目に美しく、かつ使い易い箸入れを提供することを目的とするものである。
【課題を解決するための手段】
【０００５】
本考案の箸入れは、略長方形の長辺側を開口部とする袋状の箸収納部と、その箸収納部の袋部の開口端の片側に連接する、箸収納部と同じ大きさの長方形の連結部と、この連結部にさらに連接する略扁平３角形の蓋部とからなり、連結部を箸収納部の袋部を内側にして箸収納部の一面に重ね、さらに蓋部を箸収納部の他面に重ねるように折り畳んだとき互いに対面する蓋部の内面と収納部の他面に、互いに着脱自在に係合し合う面ファスナーを設けてなることを特徴とするものである。
【０００６】
前記略扁平３角形の蓋部は、その３角形の自由端頂点付近に、蓋部を開く際に摘むのに適するタブを備えたものとしてもよい。
【０００７】
また、少なくとも箸収納部の内面に防水コーティングが施されているものとすることが望ましい。
【０００８】
略長方形の長辺側を開口部とする袋状の箸収納部は、その開口部から箸が丁度入るような大きさとする。
【考案の効果】
【０００９】
本考案による箸入れは、連接する箸収納部、連結部、蓋部からなり、蓋部の内面と収納部の裏面に面ファスナーを設けてなるものであるから、単純に折り畳むだけで箸を確実に収納することができるし、折り畳んだ状態で面ファスナーが蓋部を確実に箸収納部に保持し、使用時には面ファスナーを外して簡単に箸を取り出すことができるという効果を奏するものである。
【００１０】
また、略扁平３角形の蓋部の自由端付近に蓋部開閉用のタブを備えたものにあっては、取り扱いが一層楽になる。
【００１１】
さらに、箸収納部の内面に防水コーティングを施したものでは、箸の汚れが袋に付着しにくく、付着しても、容易に払拭することができる。
【考案を実施するための最良の形態】
【００１２】
以下、本考案の実施の形態を図面に基づいて詳細に説明する。図１は、本考案の一実施形態に係る箸入れの展開図、図２はその一部を折り畳んだ状態を示す正面図、図３はその完全に折り畳んだ状態を示す正面図、すなわち箸を収納して携帯する時の状態を示す正面図、図４はその背面図、図５はその箸収納時の状態を示す斜視図、図６は箸にキャップを付けた状態を示す斜視図である。
【００１３】
本考案の一実施形態に係る箸入れは、図１に示すように、略長方形の長辺側２１を開口部とする袋状の箸収納部２と、該箸収納部２の袋部の開口端の片側に連接する該箸収納部と同じ大きさの長方形の連結部４と、該連結部４にさらに連接する略扁平３角形の蓋部６とを可撓性材料シートで構成してなるものである。
【００１４】
連結部４を箸収納部２の袋部を内側にして箸収納部２の一面２２に重ねた状態を図２に示す。さらに蓋部６を箸収納部２の他面２３に重ねるように、図１の破線に沿って折り畳むと、図３に示す収納状態となる。このときに互いに対面する蓋部６の内面６１と箸収納部２の他面２３には、互いに着脱自在に係合し合う面ファスナー３，５が設けられており（図２）、この面ファスナー３，５により蓋部６を箸収納部２の他面２３に固定し、箸の収納状態を安定して維持することができる。この収納状態の背面を図４に示す。
【００１５】
図５は、箸１０を箸収納部２に入れて、箸入れを折り畳んで収納するときの状況を示すもので、端１０は箸収納部２の袋部に鎖線で示すように入れて収納される。このとき、箸１０の汚れが袋部に付着しないように、箸１０には図６に示すようなキャップ１１を被せて収納するようにしてもよい。
【００１６】
上記実施形態においては、略扁平３角形の蓋部６の自由端付近に蓋部開閉用のタブ８が設けられ、蓋部６の開閉時にこれを指で摘んで開閉するようにすることができ、取り扱いを一層楽にしている。
【００１７】
本考案の好ましい実施形態では、少なくとも箸収納部２の内面に防水コーティングが施され、箸の汚れが袋に付着しにくいようにしている。これにより、汚れが付着しても容易に払拭することができる。防水コーティングは、より好ましくは、箸収納部２の内面だけでなく、連結部４、あるいはさらに蓋部６の内面にも施される。
【００１８】
本考案の箸入れによれば、連接する箸収納部２、連結部４、蓋部６を折り畳み式に構成し、蓋部の内面６１と収納部のそれに対面する面２３に面ファスナー３，５を設けたから、単純に折り畳むだけで箸を確実に収納することができ、折り畳んだ状態で面ファスナー３．５が蓋部６を確実に箸収納部２に保持し、使用時には面ファスナー３、５を外して簡単に箸を取り出すことができる。
【００１９】
また、図３に示すように、この箸入れは、略３角形の蓋部６が長方形の箸収納部２の上に折り畳まれ、外には見えない面ファスナー３、５によって固定されるので、使い勝手が良いだけでなく、見た目にもスッキリとしてスマートである。
【００２０】
なお、上記実施形態では蓋部６は３角形となっているが、その形状は正確な３角形でなくてもよく、機能的に面ファスナーを取り付けた部分を摘みやすい形状であれば、多少の丸みがついていてもよいし、縁部は波型に形成されていてもよい。本明細書では、これらを総称して、略３角形ということにする。
【産業上の利用可能性】
【００２１】
本考案は、外食時に自分の箸を携帯する箸入れの普及を促進することにより、箸入れという製品の製造、販売業を促進することができる。また、本考案に箸入れは見た目美しく使いやすいものであるため、自宅以外で食事するときにも自分の箸を使うことを促進し、環境保護を促進することができる。
【図面の簡単な説明】
【００２２】
【図１】本考案の一実施形態に係る箸入れの展開図
【図２】その一部折り畳んだ状態を示す正面図
【図３】その完全に折り畳んだ状態を示す正面図
【図４】その背面図
【図５】その箸収納時の状態を示す斜視図
【図６】箸にキャップを付けた状態を示す斜視図
【符号の説明】
【００２３】
２  箸収納部
３  面ファスナー
４  連結部
５  面ファスナー
６  蓋部
８  タブ
１０  箸  
【図１】
0003145431.tif 000003
【図２】
0003145431.tif 000004
【図３】
0003145431.tif 000005
【図４】
0003145431.tif 000006
【図５】
0003145431.tif 000007
【図６】
0003145431.tif 000008